(57)【要約】    【課題】簡単な構造でステージに対する不正行為を容易に防止できると共に、ステージを確実に固定でき組み付け具合による入賞率等の個体差の発生を極力防止できるようにする。    【解決手段】遊技盤７に固定された保持部材２４に遊技球を転動させるステージ３１を着脱自在に備える。ステージ３１は左右一対の圧入手段３２により保持部材２４に後方から前後方向に着脱自在である。保持部材２４はステージ３１の左右両側に配置された左右一対の支持壁３８を備え、各圧入手段３２は支持壁３８とステージ３１の左右両側部との一方に設けられた圧入凹部４８と、他方に設けられ且つ圧入凹部４８に対して後方から前後方向に圧入される圧入凸部４９とを備えている。【選択図】    図７
2010194360.tif 000002
【特許請求の範囲】
【請求項１】
遊技盤（７）に固定された保持部材（２４）に遊技球を転動させるステージ（３１）を着脱自在に備えた弾球遊技機において、前記ステージ（３１）を左右一対の圧入手段（３２）を介して前記保持部材（２４）に後方から前後方向に着脱自在に装着したことを特徴とする弾球遊技機。
【請求項２】
前記保持部材（２４）は前記ステージ（３１）の左右両側に配置された左右一対の支持壁（３８）を備え、前記各圧入手段（３２）は前記支持壁（３８）と前記ステージ（３１）の左右両側部との一方に設けられた圧入凹部（４８）と、他方に設けられ且つ前記圧入凹部（４８）に対して後方から前後方向に圧入される圧入凸部（４９）とを備えたことを特徴とする請求項１に記載の弾球遊技機。
【請求項３】
前記支持壁（３８）に後方が開放する前記圧入凹部（４８）を設け、前記ステージ（３１）の左右両端から下方に屈曲する側壁部（４６）に前記圧入凸部（４９）を設けたことを特徴とする請求項２に記載の弾球遊技機。
【請求項４】
前記圧入凸部（４９）は前記側壁部（４６）に設けられた下側の固定部（５４）と、該固定部（５４）を介して又は該固定部（５４）を介さずに前記側壁部（４６）に弾性変形可能に設けられた弾性部（５６）とを備えたことを特徴とする請求項２又は３に記載の弾球遊技機。
【請求項５】
前記ステージ（３１）の前端に下側へと屈曲する前壁部（４７）を左右方向の略全長に設け、前記ステージ（３１）の後方から当接する当接部材（４４）を設けたことを特徴とする請求項２〜４の何れかに記載の弾球遊技機。
【請求項６】
前記保持部材（２４）は前記遊技盤（７）の前面に当接する飾り板（２８）を有し、該飾り板（２８）は前記前壁部（４７）の下縁に沿って後方に屈曲し且つ左右両端が前記支持壁（３８）に連結された屈曲壁（３９）を有し、前記圧入凹部（４８）は前記支持壁（３８）の上下方向の途中に切欠き状に形成されていることを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機には、遊技盤の遊技領域に図柄表示手段と図柄始動手段とを上下に配置して、図柄始動手段が遊技球を検出したときに、図柄表示手段の表示部の遊技図柄を所定時間変動させるようにしたものがある。
【０００３】
この種の弾球遊技機では、一般に図柄表示手段の飾り枠を利用して、その側部の球導入口から入った遊技球を案内通路を経て前側下部のステージへと案内し、このステージから遊技盤の前面に沿って下方の図柄始動手段側へと落下させるようにしている。そのためステージの形状、構造によっては、ステージ上での遊技球の動き、図柄始動手段への遊技球の入賞率等が大きく変化する。
【０００４】
そこで、機種によって図柄始動手段への遊技球の入賞率を変化させる等の目的でステージを交換できるように、薄い板状のステージを飾り枠に挿脱構造を介して前側から挿脱自在に設けたり（特許文献１）、係脱構造を介して前側から係脱自在に設けたりしている（特許文献２）。
【先行技術文献】
【特許文献】
【０００５】
【特許文献１】特開平１１−１９２８９号公報
【特許文献２】特開平１１−２９０５１４号公報
【発明の概要】
【発明が解決しようとする課題】
【０００６】
従来のステージは挿脱式、係脱式の何れを問わず、ステージ自体が薄い板状である上に、そのステージを飾り枠に対して前側から挿脱構造、係脱構造を介して着脱する構造であって、ステージの前端側にドライバー等の工具を当てて外力を加えれば比較的容易に外れるため、遊技盤の前側のガラス扉を不正に開放してステージに不正工作を加えられる惧れがある。またステージを挿脱構造、係脱構造を介して飾り枠に取り付けているため、ステージを飾り枠に完全に固定し難いという欠点がある。
【０００７】
しかも、ステージの前側に他の飾り部材等を当てて不正工作をし難くするとしても、ステージを飾り枠に対して前側から挿脱又は係脱する構造であるため、その飾り部材等が遊技盤の前面から前側に大きく突出することになり、構造的に不正行為の防止対策を講じ難いという欠点もある。
【０００８】
更にステージを挿脱構造、係脱構造を介して装着する場合には、その挿脱部、係脱部に遊びがあるため、組み立て時のステージの組み付け具合によって入賞率に大きな個体差が生じるという欠点もある。
【０００９】
本発明は、かかる従来の問題点に鑑み、簡単な構造でステージに対する不正行為を容易に防止できると共に、ステージを確実に固定でき組み付け具合による入賞率等の個体差の発生を極力防止できる弾球遊技機を提供することを目的とする。
【課題を解決するための手段】
【００１０】
本発明は、遊技盤７に固定された保持部材２４に遊技球を転動させるステージ３１を着脱自在に備えた弾球遊技機において、前記ステージ３１を左右一対の圧入手段３２を介して前記保持部材２４に後方から前後方向に着脱自在に装着したものである。
【発明の効果】
【００１１】
本発明では、ステージ３１を左右一対の圧入手段３２を介して保持部材２４に後方から前後方向に着脱自在に装着しているので、簡単な構造でステージ３１に対する不正行為を容易に防止できると共に、ステージ３１を確実に固定でき、組み付け具合による入賞率等の個体差の発生を極力防止することができる。
【図面の簡単な説明】
【００１２】
【図１】本発明の第１の実施例を示すパチンコ機の正面図である。
【図２】同特別図柄表示手段の斜視図である。
【図３】同要部の正面図である。
【図４】同要部の平面断面図である。
【図５】同要部の側面断面図である。
【図６】同要部の側面断面図である。
【図７】同要部の斜視図である。
【図８】同要部の分解斜視図である。
【図９】同要部の斜視図である。
【図１０】同圧入手段の側面図である。
【図１１】同圧入手段の背面図である。
【図１２】本発明の第２の実施例を示す要部の斜視図である。
【図１３】同要部の破断平面図である。
【図１４】本発明の第３の実施例を示す要部の斜視図である。
【図１５】同要部の側面図である。
【図１６】本発明の第４の実施例を示す破断平面図である。
【図１７】同要部の背面図である。
【図１８】本発明の第５の実施例を示す側面断面図である。
【発明を実施するための形態】
【００１３】
以下、本発明の実施例を図面に基づいて詳細に説明する。図１〜図１１は本発明の第１の実施例を示し、図１において、１は矩形枠状の外枠、２は前枠で、左右方向の一側で上下一対のヒンジ３を介して縦軸心廻りに開閉自在及び着脱自在に枢着されると共に、ヒンジ３と反対側の施錠手段４により閉状態で外枠１に施錠されている。前枠２にはガラス扉５及び前面扉６がヒンジ３と略同一軸心のヒンジ廻りに開閉自在に装着され、ガラス扉５の裏側に遊技盤７が着脱自在に装着されている。
【００１４】
遊技盤７の前面には、発射手段８から発射された遊技球を案内するガイドレール１０が環状に装着されると共に、そのガイドレール１０の内側の遊技領域１１内に特別図柄表示手段１２、特別図柄始動手段１３、普通図柄表示手段１４、普通図柄始動手段１５、可変入賞手段１６、普通入賞手段１７等の複数の遊技部品が装着されている。
【００１５】
前面扉６には、発射用の遊技球を貯留するための供給皿１８が装着されている。前枠２の下部には、余剰球を受ける受け皿１９、発射手段８、灰皿２０が設けられている。発射手段８は、発射ハンドル２１を操作したときに駆動モータ２２が作動して、供給皿１８から発射レール２３上に供給される遊技球を打撃槌２４ａにより打撃して遊技盤７のガイドレール１０側へと発射させるようになっている。
【００１６】
特別図柄表示手段１２は１個又は複数個、例えば３個の特別図柄を変動可能に表示するもので、図２〜図６に示すように、センターケース等の飾り枠２４と、この飾り枠２４の表示窓２５に対応してその裏側に装着された液晶表示部２６とを備え、遊技盤７の中央上部等に形成された装着孔７ａに後部側を嵌合させて装着されている。そして、特別図柄表示手段１２の特別図柄は、その下側に配置された特別図柄始動手段１３が遊技球を検出することを条件に、所定時間変動して所定の順序で停止する。なお、液晶表示部２６に代えて他の表示手段を設けてもよい。
【００１７】
普通図柄表示手段１４は１個又は複数個、例えば１個の普通図柄を変動可能に表示するもので、飾り枠２４の上部に設けられている。普通図柄表示手段１４の普通図柄は、その左右両側に配置された普通図柄始動手段１５が遊技球を検出することを条件に所定時間変動して停止する。
【００１８】
特別図柄始動手段１３は一対の開閉片２７を備えた開閉型であって、普通図柄表示手段１４の変動後の普通図柄が所定の当たり図柄で停止したときに所定時間開放するようになっている。可変入賞手段１６は入賞口を開閉する開閉板１６ａを備えた可変型であって、特別図柄表示手段１２の変動後の特別図柄が所定の大当たり図柄で停止したときに開閉板１６ａが前側に開放して、上方から開閉板１６ａ上に落下する遊技球を入賞口へと案内するようになっている。なお、可変入賞手段１６は開閉板１６ａが開閉する開閉動作を間欠的に複数回を繰り返してもよいし、１回で開閉動作を終了するものでもよい。
【００１９】
飾り枠２４は図２〜図８に示すように、遊技盤７の前面に当接する飾り板２８と、液晶表示部２６用の表示窓２５を取り囲む略矩形状の囲い板２９と、液晶表示部２６を上側から覆うように飾り板２８から前側に突出する庇部３０とを有し、その飾り板２８が遊技盤７の前面にネジ等で着脱自在に固定されている。
【００２０】
飾り枠２４はステージ３１の保持部材を兼用しており、この飾り枠２４には液晶表示部２６の前下側に左右一対の圧入手段３２を介してステージ３１が後方から着脱自在に装着されている。また飾り枠２４には左右両側に球導入口３３、この球導入口３３からの遊技球をステージ３１へと案内する案内通路３４及び球導出口３５が設けられている。なお、普通図柄表示手段１４は庇部３０の上部中央に、球導入口３３は庇部３０の左右両側に夫々設けられている。球導入口３３、案内通路３４は飾り枠２４のガイドレール１０に近い側のみでもよい。
【００２１】
飾り板２８は図２〜図７に示すように、下部側に左右方向に配置された横板部３６と、この横板部３６の左右両端から上方に延びる縦板部３７とを一体に備えている。各縦板部３７にはその左右方向の内端縁から後方へと略平行に屈曲する支持壁３８が一体に設けられ、また横板部３６の上端には後方に屈曲し且つ両端が左右一対の支持壁３８の下端に接続する屈曲壁３９が一体に設けられている。支持壁３８の後端は囲い板２９の左右両側部の前端に当接しており、この支持壁３８の外側に案内通路３４が設けられている。
【００２２】
ステージ３１は案内通路３４からの遊技球を転動させながら、直接又は落下口４０を経て遊技盤７の前側へと落下させるためのものであり、図２、図３、図８、図９に示すように、緩やかな円弧状で下側に凹入する左右両側の円弧状凹部４１と、この円弧状凹部４１間で緩やかな円弧状で上側に突出する中央側の円弧状凸部４２とを有する。そして、円弧状凹部４１には遊技球を前側へと案内する前案内部４１ａが、円弧状凸部４２には遊技球を後側の球案内口４３へと案内する後案内部４２ａが夫々設けられている。
【００２３】
このステージ３１は機種に応じて複数種類あり、例えば図８及び図９に示すように機種によってその円弧状凹部４１、円弧状凸部４２等の形状が異なっている。
【００２４】
球案内口４３はステージ３１の後端に後方から当接する当接壁４４に後案内部４２ａに対応して形成され、ステージ３１の下側の落下案内通路４５を経て、飾り板２８の横板部３６に形成された落下口４０へと遊技球を案内するようになっている。当接壁４４はステージ３１に対する当接部材を構成するもので、ステージ３１の左右方向の略全長に対応する長さを有し、囲い板２９の下辺部の前端から下方に屈曲して一体に設けられている。
【００２５】
ステージ３１の左右両端には、左右一対の支持壁３８に近接して下側へと屈曲する左右一対の側壁部４６が一体に設けられ、また前端には下側へと屈曲し且つ両側壁部４６の前端に接続する前壁部４７が一体に設けられている。前壁部４７は、その下端縁が飾り板２８の横板部３６の上縁形状に沿った形状であり、飾り板２８の前面と略面一状になっている。
【００２６】
圧入手段３２は、図６〜図１１に示すように、支持壁３８と側壁部４６との一方に設けられた圧入凹部４８と、他方に設けられ且つ圧入凹部４８に後方から前後方向に圧入される圧入凸部４９とを備えている。即ち、圧入凹部４８は支持壁３８の上下方向の中途部にその後端縁から前側に凹入して形成され、後方に開放状になっている。なお、支持壁３８には外側に突出する突出縁５０が圧入凹部４８に沿って周方向に形成されており、圧入凹部４８の内周側の左右幅は支持壁３８の板厚よりも大になっている。また圧入凹部４８は前後方向に略水平な下内面５１と、後上がりに傾斜する上内面５２とを前端の円弧面５３で接続した形状になっている。
【００２７】
圧入凸部４９は、後方側が開放する略Ｕ字状に構成されている。この圧入凸部４９は前後方向に略水平状に形成された固定部５４と、この固定部５４の前端側から上側後方へと湾曲し且つ円弧面５３に当接する湾曲部５５と、この湾曲部５５の上端から上後方へと延びる弾性部５６とを有する。固定部５４、湾曲部５５は側壁部４６の外側に一体に設けられ、また弾性部５６と側壁部４６との間には隙間ａが設けられている。弾性部５６は後端上面側に凸部５７を有し、図１０に二点鎖線で示すように自由状態では圧入凹部４８の上内面５２よりも上側になっている。
【００２８】
遊技に際しては、発射手段８により遊技球を１個ずつ遊技盤７の遊技領域１１へと発射する。球導入口３３に入った遊技球は、案内通路３４、球導出口３５を経てステージ３１へと案内され、このステージ３１上を左右方向に転動した後、前案内部４１ａから遊技盤７の前側に落下するか、後案内部４２ａから球案内口４３、落下案内通路４５、落下口４０を経て遊技盤７の前側に落下する。
【００２９】
例えば、遊技球が落下口４０から落下すると、その下側の特別図柄始動手段１３に入賞する可能性が大になる。そして、遊技球が特別図柄始動手段１３に入賞すれば、特別図柄表示手段１２の特別図柄が所定時間変動し、大当たり図柄、外れ図柄の何れかの組み合わせで停止する。特別図柄が大当たり図柄で停止した場合には、所定数の遊技球が入賞するか所定時間経過するまで可変入賞手段１６の開閉板１６ａが前側へと開放し、その開閉動作を複数回繰り返す。このため上方から落下する遊技球が開閉板１６ａを経て入賞口へと案内され、多数の遊技球が入賞する。
【００３０】
ステージ３１の組み付け具合は、特別図柄始動手段１３への遊技球の入賞率に大きく影響するが、ステージ３１を圧入手段３２を介して飾り板２８に装着することにより、従来に比較してステージ３１を飾り板２８に確実に固定することができる。そのため組み付け具合のバラツキもなくなり、特別図柄始動手段１３に対する遊技球の入賞率の個体差という問題も容易に解消することができる。
【００３１】
ステージ３１の組み付けに当たっては、ステージ３１を飾り板２８の後方から左右の支持壁３８間に挿入し、前壁部４７が飾り板２８の屈曲壁３９に沿って摺動するようにステージ３１を前側へと押し込む。すると左右両側の圧入手段３２の圧入凹部４８と圧入凸部４９とが前後に対向し、その状態で前へと押圧することによって、圧入凸部４９の弾性部５６が下側に弾性変形しながら圧入凹部４８の上内面５２の下側に侵入するので、圧入凸部４９を圧入凹部４８内に圧入することができる。このためステージ３１の組み付けも容易に行える。
【００３２】
しかも圧入凹部４８の下内面５１と、圧入凸部４９の固定部５４とを略水平状にする一方、圧入凸部４９の上側に弾性部５６を設けているため、この下内面５１、固定部５４を基準にしてステージ３１の上下位置を一定に定めることができる。このため圧入方式を採用しながらも、ステージ３１の上下位置のバラツキ等も防止できる。また圧入凸部４９は、固定部５４の前端の湾曲部５５から上側に弾性部５６を備えており、圧入時にこの弾性部５６が圧入凹部４８に対応して弾性変形するため、圧入凸部４９の前端を圧入凹部４８の奥に当接させることが可能である。従って、圧入手段３２側でステージ３１の上下位置の他、前後方向の位置を決めることができる。
【００３３】
ステージ３１は飾り枠２４、取り分け飾り板２８に対して圧入手段３２を介して後方から着脱自在に装着しており、前側からステージ３１を着脱できない構造であるため、遊技中にガラス扉５を開放してステージ３１に不正工作を施す等の不正行為を未然に防止できる。
【００３４】
しかも、ステージ３１は単に圧入手段３２の圧入により装着するだけでなく、その後端に他の当接壁４４が当接しているので、ステージ３１を後方に押圧して圧入手段３２を抜いたり緩めたりすることもできない。またステージ３１はその前端から下側に屈曲する前壁部４７を一体に備えた構造であり、従来の薄い板状のものに比してステージ３１自体の剛性も容易に確保できる。
【００３５】
圧入凹部４８は左右の支持壁３８の後端から前側に凹入するように形成し、この圧入凹部４８に圧入凸部４９が圧入する構造であるため、支持壁３８の板面に沿う上下方向の両側で圧入力を担持でき、圧入力による圧入凹部４８側の変形等を容易に防止できる。
【００３６】
図１２、図１３は本発明の第２の実施例を例示する。この実施例では、圧入手段３２の圧入凸部４９が支持壁３８に、圧入凹部４８がステージ３１の側壁部４６に夫々設けられ、その圧入凹部４８側に固定部５４、湾曲部５５、弾性部５６、凸部５７が設けられている。
【００３７】
圧入凸部４９は前後方向に略水平な下面６１と前上がりに傾斜する上面６２とを有するＵ字状であって、支持壁３８の内面に一体に設けられている。なお、飾り板２８は支持壁３８よりも内側に突出して圧入凸部４９を前側から覆う突出縁５８を有し、左右の突出縁５８間にステージ３１が入るようになっている。
【００３８】
圧入凹部４８はステージ３１の側壁部４６の外面に設けられており、前後方向に略水平で側壁部４６に一体に形成された固定部５４と、この固定部５４の後端側から前上がりに傾斜する弾性部５６とを有し、その弾性部５６の前端部の下側に凸部５７が形成されている。弾性部５６は圧入状態では凸部５７を介して圧入凸部４９を固定部５４側に押圧するようになっている。
【００３９】
このように圧入手段３２の圧入凸部４９を支持壁３８に、圧入凹部４８をステージ３１の側壁部４６に夫々設け、その圧入凹部４８側に弾性部５６を設けることも可能であり、このように構成した場合にも、第１の実施例と同様の効果を得ることができる。なお、その他の構成は、第１の実施例と同様である。
【００４０】
図１４、図１５は本発明の第３の実施例を例示する。この実施例では、楔式の圧入手段３２を採用したものである。支持壁３８の圧入凸部４９は、略水平状の下内面５１と傾斜状の上内面５２とを有する。側壁部４６の外側の圧入凸部４９は、圧入凹部４８に対応する形状の楔状になっている。このように圧入手段３２は楔状に構成してもよい。
【００４１】
図１６、図１７は本発明の第４の実施例を例示する。この実施例では、支持壁３８の上下方向の中間に切り欠き部６０が設けられ、その切り欠き部６０内に、飾り板２８の縦板部３７から後方に突出する圧入凸部４９が設けられている。そして、ステージ３１側の圧入凹部４８は、圧入凸部４９に対応して筒状に形成されている。圧入凸部４９は内側が側壁部４６に対応して平面状になっており、外側が後向きのテーパー状の円弧状になっている。なお、圧入凸部４９、圧入凹部４８は略水平状である。
【００４２】
このように圧入手段３２の圧入凸部４９は、飾り板２８の支持壁３８以外の部分から後方に突出するように設けてもよい。また圧入凹部４８を飾り板２８に設ける場合も同様である。なお、圧入凸部４９、圧入凹部４８の何れかに弾性部５６を設ける場合にも、同様である。
【００４３】
図１８は本発明の第５の実施例を例示する。この実施例では、飾り板２８の横板部３６の上端の屈曲壁３９をなくし、前壁部４７をその裏側の遊技盤７に当接している。このようにすれば、ステージ３１を前側から押圧しても、前壁部４７が後方に変形することがないため、ステージ３１に対する不正行為を確実に防止できる。
【００４４】
以上、本発明の各実施例について詳述したが、本発明は各実施例に限られるものではなく種々の変更が可能である。例えば、実施例は何れも特別図柄表示手段１２の飾り枠２４に設けられたステージ３１を例示しているが、ステージ３１を備えた入賞手段等でも同様に実施可能である。従って、ステージ３１を保持する保持部材は、飾り枠２４に限定されるものではなく、入賞手段にステージ３１を設ける場合には、その入賞ケースが保持部材となる。
【００４５】
圧入手段３２は圧入凸部４９と圧入凹部４８とを備えたものであれば、その圧入凸部４９、圧入凹部４８の具体的な構造は実施例に限定されるものではない。また圧入手段３２はステージ３１の左右に一対設けることが望ましいが、ステージ３１が左右方向に長い場合には、左右方向の中間部分の下側に１個又は複数個の圧入手段３２を設けてもよい。
【００４６】
ステージ３１は左右両側の円弧状凹部４１と中央側の円弧状凸部４２とを有するものを例示しているが、上側に突出する障害用の突条、突起等を設けたものでもよい。ステージ３１の前壁部４７、側壁部４６は省いてもよい。またステージ３１の後端に後方から当接する部材も省いてもよい。左右の圧入手段３２の圧入凸部４９、圧入凹部４８は、飾り枠２４、ステージ３１等を介して一体に連結することが望ましい。また本発明はパチンコ機に限らず、アレンジボール、雀球遊技機等の弾球遊技機でも同様に実施可能である。
【符号の説明】
【００４７】
７    遊技盤
２４  飾り枠（保持部材）
２８  飾り板
３１  ステージ
３２  圧入手段
３８  支持壁
３９  屈曲壁
４４  当接壁（当接部材）
４６  側壁部
４８  圧入凹部
４９  圧入凸部
５４  固定部
５６  弾性部
【図１】
2010194360.tif 000003
【図２】
2010194360.tif 000004
【図３】
2010194360.tif 000005
【図４】
2010194360.tif 000006
【図５】
2010194360.tif 000007
【図６】
2010194360.tif 000008
【図７】
2010194360.tif 000009
【図８】
2010194360.tif 000010
【図９】
2010194360.tif 000011
【図１０】
2010194360.tif 000012
【図１１】
2010194360.tif 000013
【図１２】
2010194360.tif 000014
【図１３】
2010194360.tif 000015
【図１４】
2010194360.tif 000016
【図１５】
2010194360.tif 000017
【図１６】
2010194360.tif 000018
【図１７】
2010194360.tif 000019
【図１８】
2010194360.tif 000020
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
遊技盤に固定された保持部材に遊技球を転動させるステージを着脱自在に備えた弾球遊技機において、前記保持部材は前記ステージの左右両側に相対向して配置された左右一対の縦方向の支持壁と、前記ステージの後端が前側から当接する当接壁とを備え、前記ステージの左右両端を後方から前後方向に圧入する左右一対の圧入手段を介して前記各支持壁に着脱自在に装着し、前記各圧入手段は前記支持壁と前記ステージとの一方に形成された圧入凹部と、他方の側面に形成され且つ前記圧入凹部に前後方向に圧入される圧入凸部とを備えたことを特徴とする弾球遊技機。
【手続補正２】
【補正対象書類名】明細書
【補正対象項目名】００１０
【補正方法】変更
【補正の内容】
【００１０】
本発明は、遊技盤７に固定された保持部材２４に遊技球を転動させるステージ３１を着脱自在に備えた弾球遊技機において、前記保持部材２４は前記ステージ３１の左右両側に相対向して配置された左右一対の縦方向の支持壁３８と、前記ステージ３１の後端が前側から当接する当接壁４４とを備え、前記ステージ３１の左右両端を後方から前後方向に圧入する左右一対の圧入手段３２を介して前記各支持壁３８に着脱自在に装着し、前記各圧入手段３２は前記支持壁３８と前記ステージ３１との一方に形成された圧入凹部４８と、他方の側面に形成され且つ前記圧入凹部４８に前後方向に圧入される圧入凸部４９とを備えたものである。
【手続補正３】
【補正対象書類名】明細書
【補正対象項目名】００１１
【補正方法】変更
【補正の内容】
【００１１】
本発明では、簡単な構造でステージに対する不正行為を容易に防止できると共に、ステージを確実に固定でき、組み付け具合による入賞率等の個体差の発生を極力防止することができる。